(57)【要約】      （修正有）【課題】構造が複雑でなく、交換が容易である脱臭フィルターを備え、軽量で使い勝手がよく安価に製造できる空気清浄機を提供する。【解決手段】空気の吸込口２１と吹出口２２を有する本体２と、本体の吸込口から吸引した空気の塵埃を除去する集塵フィルター３と集塵フィルターを通過した空気を脱臭する脱臭フィルター４と本体の吸込口から空気を吸引し本体の吹出口から空気を流出させる送風機６とを本体に収納した空気清浄機であって、集塵フィルターは、本体の吸込口に取り付けられた支持枠３２に支持される不織布３１からなり、脱臭フィルターは、２枚の不織布の周縁部を接着して形成された不織布製袋４２に粒状のヒノキの炭４１を封入したものからなり、かつ集塵フィルターと送風機の間に配置された籠状ケース５に納められ、送風機は、籠状ケースと本体の吹出口の間に配置されている。【選択図】図１
0003226219.tif 000002
【実用新案登録請求の範囲】
【請求項１】
空気の吸込口と吹出口を有する本体と、本体の吸込口から吸引した空気の塵埃を除去する集塵フィルターと集塵フィルターを通過した空気を脱臭する脱臭フィルターと本体の吸込口から空気を吸引し本体の吹出口から空気を流出させる送風機とを本体に収納した空気清浄機であって、
集塵フィルターは、本体の吸込口に取り付けられた支持枠に支持される不織布からなり、
脱臭フィルターは、２枚の不織布の周縁部を接着して形成された不織布製袋に粒状のヒノキの炭を封入したものからなり、かつ集塵フィルターと送風機の間に配置された籠状ケースに納められ、
送風機は、籠状ケースと本体の吹出口の間に配置されていることを特徴とする空気清浄機。
【請求項２】
前記籠状ケースと送風機との間に２０ｍｍ乃至４０ｍｍの間隔を設けて空間を形成するとともに、前記脱臭フィルターの外縁が囲う面積を前記籠状ケースの枠部が囲う内のり面積よりも小さくすることにより、脱臭フィルターの不織布製袋を通過する空気の流れの他に、脱臭フィルターの外縁と籠状ケースの枠部材との間を通過する空気の流れを形成したことを特徴とする請求項１に記載の空気清浄機。
【請求項３】
前記粒状のヒノキの炭が平均長さ１〜１０ｍｍの粒状であることを特徴とする請求項１又は２に記載の空気清浄機。
【請求項４】
前記不織布製袋を構成する２枚の不織布の中央部が接着されていることを特徴とする請求項１乃至３のいずれか一項に記載の空気清浄機。
【請求項５】
前記脱臭フィルターが、前記不織布製袋に粒状のヒノキの炭を封入したものを複数連結したものからなることを特徴とする請求項１乃至３のいずれか一項に記載の空気清浄機。
【請求項６】
室内の床に前記集塵フィルター側を下にして前記空気清浄機を置いたときに、床と前記本体との間に間隔を保持できる複数の脚を前記本体の吸込口を形成する枠部の４隅に設けたことを特徴とする特徴とする請求項１乃至５のいずれか一項に記載の空気清浄機。
【請求項７】
前記本体に把手を取り付けたことを特徴とする請求項１乃至６のいずれか一項に記載の空気清浄機。
【考案の詳細な説明】
【技術分野】
【０００１】
本考案は、室内の空気を吸引して、塵埃を集塵し、臭いを脱臭する空気清浄機に関するものである。
【背景技術】
【０００２】
従来から室内空間の塵埃や悪臭を脱臭するために空気清浄機が使用されてきた。空気清浄機は、通常、塵埃を捕集する集塵フィルターと悪臭を脱臭する脱臭フィルターを備えており、脱臭フィルターには活性炭等の吸着材が使用されている。
【０００３】
特許文献１には、ガス成分を除去するための脱臭フィルターと塵埃を除去するための集塵フィルターとフィルターに風を供給するための送風手段を備えた空気清浄機の発明が記載されており、脱臭フィルターは、粒状吸着剤と粒状熱可塑性樹脂をバインダーを添加して混合して加熱成形した板状成形体に通風孔を形成したものを使用して、脱臭効率と低圧力損失を両立させている。
【０００４】
特許文献１の記載からも分かるように、従来の空気清浄機の脱臭フィルターは、構造が複雑であり、生産工程が多く、上記のような脱臭フィルターを使用する空気清浄機は高価なものとならざるを得ない。また、脱臭フィルターの交換を容易に行えるように配慮されておらず、使い勝手のよいものとはいえなかった。
【先行技術文献】
【特許文献】
【０００５】
特許文献１：特開２０１０−６３５２４号公報
【考案の概要】
【考案が解決しようとする課題】
【０００６】
本考案は、従来の空気清浄機が有していた課題に鑑みてなされたものであり、構造が複雑でなく、交換が容易である脱臭フィルターを備える、軽量で使い勝手がよく安価に製造できる空気清浄機を提供することを目的とする。
【課題を解決するための手段】
【０００７】
上記の課題を解決するために、本考案は以下の手段を採用する。
［１］空気の吸込口と吹出口を有する本体と、本体の吸込口から吸引した空気の塵埃を除去する集塵フィルターと集塵フィルターを通過した空気を脱臭する脱臭フィルターと本体の吸込口から空気を吸引し本体の吹出口から空気を流出させる送風機とを本体に収納した空気清浄機であって、集塵フィルターは、本体の吸込口に取り付けられた支持枠に支持される不織布からなり、脱臭フィルターは、２枚の不織布の周縁部を接着して形成された不織布製袋に粒状のヒノキの炭を封入したものからなり、かつ集塵フィルターと送風機の間に配置された籠状ケースに納められ、送風機は、籠状ケースと本体の吹出口の間に配置されていることを特徴とする空気清浄機。
［２］前記籠状ケースと送風機との間に２０ｍｍ乃至４０ｍｍの間隔を設けて空間を形成するとともに、前記脱臭フィルターの外縁が囲う面積を前記籠状ケースの枠部が囲う内のり面積よりも小さくすることにより、脱臭フィルターの不織布製袋を通過する空気の流れの他に、脱臭フィルターの外縁と籠状ケースの枠部材との間を通過する空気の流れを形成したことを特徴とする［１］に記載の空気清浄機。
［３］前記粒状のヒノキの炭が平均長さ１〜１０ｍｍの粒状であることを特徴とする［１］又は［２］に記載の空気清浄機。
［４］前記不織布製袋を構成する２枚の不織布の中央部が接着されていることを特徴とする［１］乃至［３］のいずれかに記載の空気清浄機。
［５］前記脱臭フィルターが、前記不織布製袋に粒状のヒノキの炭を封入したものを複数連結したものからなることを特徴とする［１］乃至［３］のいずれかに記載の空気清浄機。
［６］室内の床に前記集塵フィルター側を下にして前記空気清浄機を置いたときに、床と前記本体との間に間隔を保持できる複数の脚を前記本体の吸込口を形成する枠部の４隅に設けたことを特徴とする特徴とする［１］乃至［５］のいずれかに記載の空気清浄機。
［７］前記本体に把手を取り付けたことを特徴とする［１］乃至［６］のいずれかに記載の空気清浄機。
【考案の効果】
【０００８】
本考案の空気清浄機は、脱臭フィルターとして、脱臭性能に優れる粒状のヒノキの炭を入れた、２枚の不織布の周縁部を接着して形成された不織布製袋を使用しているから、構造が複雑なものではなく、軽量であり、安価に製造することができる。また、本考案の空気清浄機は脱臭フィルターとしての不織布製袋を、籠状ケースに納めて本体に収納しているので、籠状ケースごと、本体から出し入れが行えるから、脱臭フィルターの不織布製袋の交換を容易に行うことができる。
【図面の簡単な説明】
【０００９】
【図１】本考案の空気清浄機の実施形態の断面図を示す。
【図２】本考案の空気清浄機の実施形態の送風機の側からみた正面図（ａ）、外観斜視図（ｂ）、集塵フィルターの側から見た斜視図（ｃ）を示す。
【図３】集塵フィルターの実施形態を示す。
【図４】脱臭フィルターと籠状ケースの実施形態を示す。
【図５】３種の炭の脱臭性能を示す。
【図６】３種の炭の電子顕微鏡による断面拡大図を示す。
【図７】脚が取り付けられた空気清浄機の実施形態の斜視図を示す。
【図８】本体に把手が取り付けられた空気清浄機の実施形態の斜視図を示す。
【考案を実施するための形態】
【００１０】
以下、本考案の実施形態を図面に基づいて説明する。
本考案の空気清浄機は、本体と本体に収納される集塵フィルター、脱臭フィルター、籠状ケースおよび送風機を備えている。
本考案の空気清浄機の断面図を図１に示した。
ここで、１は空気清浄機、２は本体、３は集塵フィルター、４は脱臭フィルター、５は籠状ケース、６は送風機である。２１および２２は、それぞれ送風機６のファンが回転したときに、空気が流入する吸込口、吹出口である。
また、送風機６の側からみた空気清浄機１の正面図、斜視図をそれぞれ図２（ａ）、（ｂ）に、集塵フィルター３の側からみた空気清浄機１の斜視図を図２（ｃ）に示した。
以下、空気清浄機を構成する各部の部材について説明する。
【００１１】
本体２は、通風路となる断面が矩形の空間が形成されており、その両端に空気の吸込口２１と吹出口２２を有している枠体である。そして、本体２の空間の吸込口２１と吹出口２２の間に集塵フィルター３、脱臭フィルター４、籠状ケース５および送風機６が配置されている。脱臭フィルター４は籠状ケース５に納められている。
送風機６のファンが回転すると、吸込口２１から空気が吸い込まれ、集塵フィルター３および脱臭フィルター４が納められた籠状ケース５を通過して、送風機６の背後の吹出口２２から流出する。矢印ＡおよびＰは空気の流れを示す。
【００１２】
集塵フィルター３は、不織布３１と不織布３１が取り付けられた支持枠３２とからなる。
図３に示すものでは、支持枠３２は、枠部材３２１と枠部材３２１に架設された桟（さん）部材３２２からなり、枠部材３２１は本体の吸込口２１に嵌め込まれる寸法につくられている。そして、桟部材３２２が対向する枠部材３２１の間に架設されており、不織布３１を支えるとともに空気の通過を妨げない。ここでは、横の桟部材３２２が８本、縦の桟部材３２２が１本の支持枠３１が示されている。
集塵フィルター３を本体２に取り付けるには、例えば、図1に示すように、本体２の吸込口２１近傍の内面に突起２３を設けて、支持枠３２を吸込口２１から吹出口２２の方向に向かって押して、この突起２３で支持枠３２を受け止めるようにして、集塵フィルター３を本体２に嵌め込んで取り付けることができる。
【００１３】
不織布３１は、支持枠３２の枠部材３２１の外縁が囲う部位を覆う程度の面積を有している。
不織布３１は、両面テープを不織布の縁に貼付して支持枠３２に取り付けてもよいが、本体２に嵌め込んだ支持枠３２に不織布３１を押し当て、その上から、本体２の吸込口２１に嵌め込まれる寸法につくられている押さえ枠３３を不織布３１の縁部に押し当てて嵌め込むことにより支持枠３２に取り付けることもできる。
【００１４】
送風機６のファンが回転して、本体２の吸込口２１から室内の空気が流入すると、集塵フィルター３の不織布３１でほこりや粉塵などが捕集される。捕集されたほこりや粉塵などが不織布３１に蓄積して空気の吸引が大きく損なわれるようになると、交換する必要がある。不織布３１の交換は、本体２から取り外した集塵フィルター３から不織布３１を取り出すことにより容易に行うことができる。
【００１５】
集塵フィルター３の本体２からの取り外しは、両面テープを使用する場合も押さえ枠３３を使用する場合も、支持枠３２を吹出口２２から吸込口２１への方向に本体２から引き出すことにより支持枠３２を本体２から取り出してから容易に行える。支持枠３２につまみとなるタブ（不図示）を形成して、このタブを引っ張ることにより、不織布３１が取り付けられた支持枠３２を本体２から取り出しやすくすることができる。
集塵フィルター３の本体２からの取り外しは、本体２の天井部に形成された間隙（これについては後述する）から挿入した手で、支持枠３２を吹出口２２から吸込口２１への方向に押すことによっても容易に行える。
【００１６】
脱臭フィルター４は、粒状のヒノキの炭４１が封入された不織布製袋４２からなり、籠状ケース５に納められている。籠状ケース５は、本体２の矩形の通風路断面に本体内壁面に接近して収まる程度の大きさを有していることが望ましい。
脱臭フィルター４が収納された籠状ケース５は、集塵フィルター３と送風機６との間に配置され、集塵フィルター３でほこりや粉塵などが捕集された後の室内空気が籠状ケース４２に流入して脱臭フィルター（粒状のヒノキの炭が封入された不織布製袋）４で脱臭される。
【００１７】
脱臭フィルター４は、２枚の矩形の同形の不織布を重ね、開口部となる部位を除いて周縁部を接着し、次いで開口部から粒状のヒノキの炭を入れた後に開口部を接着して閉じることにより製造することができる。さらに、不織布製袋４２を構成する２枚の不織布の中央部をも接着すると、粒状の炭をドーナツ状に入れることができ、不織布製袋４２内において、粒状の炭をより均等に分散させることができる。
【００１８】
脱臭フィルター４は、粒状のヒノキの炭４１が封入された不織布製袋４２が単数（一つ）からなるものでも、粒状のヒノキの炭４１が封入された不織布製袋４２を複数並べたものでもよい。後者の場合、不織布製袋４２の縁部同士で複数連結することが望ましい。脱臭フィルター４が複数の不織布製袋４２を複数並べたものからからなる場合、単数の不織布製袋からなる脱臭フィルター４に比べて、不織布製袋内の粒状のヒノキの炭の重力による片寄りを小さくすることができる。脱臭フィルター４が２つ以上の不織布製袋を連結したものからなる場合、籠状ケース５に脱臭フィルター４を納めて本体２に収納したときに、その連結部がすべて水平になるように連結することが望ましい。
【００１９】
不織布としては、通気性を保持しながら微粉末の炭が粉漏れしない特性を有するするものを使用することが望ましい。このような特性を有し、熱圧着により接着できる合成樹脂製の不織布が市販されている。
脱臭フィルター４の不織布製袋４２が１９０ｍｍ×１９０ｍｍ×２５ｍｍとすると、約５０ｇの粒状のヒノキの炭を入れることができる。
【００２０】
籠状ケース５は、空気の通過を妨げることがなく脱臭フィルター４を納めることができるものであるが、図４に示すものでは、一対のケース部材５１、５２からなり、対を形成するケース部材５１、５２がヒンジ（蝶番）機構で接合されており、両開きにすることができる。そして、両開きの対を形成するケース部材５１、５２を合わせて閉じると、内部に脱臭フィルター４を収納することができる。この籠状ケース５に脱臭フィルター４を納めるには、両開き状態の籠状ケース５の一方のケース部材５２（５１）上に脱臭フィルター４を載置した後に、他方のケース部材５１（５２）をヒンジの軸を中心にして回転させ、一方のケース部材５２（５１）に合わせて閉じればよい。
【００２１】
図４に示す、対を形成するケース部材５１、５２は、矩形の４囲を形成する４つの枠部材を備え、桟部材が対向する枠部材の間に架設されており、脱臭フィルター（粒状のヒノキの炭が入った不織布製袋）４を籠状ケース５から脱落しないように挟持するとともに空気の流入を妨げない。図４では、縦の桟部材が９本、横の桟部材が１本のケース部材が示されている。
なお、ケース部材５１、５２には、必須のものではないが、短い横の桟が架設されている（図面番号なし）。これは籠状ケース５を開くときにつまみとして機能する。
【００２２】
籠状ケース５は、図４に示すような対を形成するケース部材５１、５２からなるものではなく、一体ものとしても製作することもできる。例えば、ブックケースのように、直方体形状であって、直方体を構成する六面のうちの一面を除いて、脱臭フィルター４を挿入する挿入口とし、対向する一組の空気の流れに垂直な側面に空気の通過する間隙を形成して籠状とすればよい。
【００２３】
脱臭フィルター４が納められた籠状ケース５を、本体２に収納するには、本体２の天井部に形成した間隙から挿入することができる。挿入後は、この間隙を蓋２６で塞げばよい。
この場合も、挿入された籠状ケース５が、位置ずれして本体２の所定の場所に納まらないことを防ぐために、本体２内面に突起２４を設けて、籠状ケース５の吹出口側の縁部を支えるようにすることができる。
籠状ケース５は、本体２内で集塵フィルター３の支持枠３２を支える突起２３と上記の突起２４との間に挿入して、本体２の所定の場所に収納することができる。
【００２４】
籠状ケース５は、カセットケースのように、本体２に収納したり、本体２から取り出したりすることが容易にできる。本体２に収納されたときに蓋２６の直下に位置する籠状ケース５の上面につまみとなるタブ（不図示）を形成しておくと、本体２から籠状ケース５を取り出しやすい。
【００２５】
籠状ケース５を本体２から取り出して、対を形成するケース部材５１、５２からなる場合は該ケース５を開くことにより、また、一体ものである場合は脱臭フィルター４の挿入口から、収納された脱臭フィルター４を取り出して、交換することも容易に行える。脱臭フィルター４の不織布製袋４２にタブ（不図示）を取り付けておくと、脱臭フィルター４の交換がしやすい。
【００２６】
送風機６は、本体２に取り付けるための取付け枠７を備えており、図１から分かるように、脱臭フィルター４１を納めた籠状ケース４と本体２の吹出口２２との間に配置して取り付けられている。
送風機６のファンが回転すると、本体の吸込口２１から吸引された室内の空気が集塵フィルター３および脱臭フィルター４が納められた籠状ケース５を通過して本体２の吹出口２２から流出する。
【００２７】
送風機６は、ファン（羽根）とファンが取り付けられたモーターを備え、モーターには取付け枠７が固定されており、本体２には取付け枠７を介して取り付けられる。
送風機６は、本体２の吹出口２２から装入し、本体２内の複数の箇所に形成した突起２５に取付け枠の対応する部位をあてがいネジなどにより本体２に固定することができる。あるいは、本体２の天井部に間隙を形成して、この間隙から取付け枠に取り付けられた送風機６を挿入して本体２に収納して固定してもよい。
【００２８】
本体２の吹出口２２にはパネル８が装着されている。パネル８には送風機６の送風の吹出しを妨げないように、多数の間隙（通風孔）が形成されている。パネル８の装着により、送風機６のファンに人が触れることのないようにすることができる。パネル８は、送風機６自体に扇風機と同様に保護カバーが取り付けられている場合は必要ないが、装飾用として保護カバーとともに、設けてもよい。
【００２９】
なお、図示していないが、本体２の内面にはモーターにリード線により結線された電源回路基板が取り付けられており、本体２外側の側面に設けた操作部９のスイッチボタンにより、送風機６のファンの回転を操作できるようになっている。操作部９には、ファンの回転をオンオフ操作するスイッチボタンや風量モードを切り替えるスイッチボタン、タイマー時間を選択するスイッチボタンなどを設けることができる。
送風機６のモーターの電源は、コードを介して差込プラグを室内のコンセントに差し込むことにより得ることができ、ＵＳＢ電源アダプターを使用するようにしてもよい。また、本体２内のいずれかの空きスペースに収納した電池を電源として使用して、コードレスで送風機６のファンを回転させることもできる。電池をモバイルバッテリーで充電できるようにすることもできる。
【００３０】
次に、ヒノキの脱臭性能について説明する。
図５にヒノキ、竹、くぬぎの炭について、１２．３リットルのデシケータに封入した４０００ｐｐｍのアンモニアガスの濃度が時間とともに減衰する様子を示した。
この図から分かるように、ヒノキの炭では、アンモニア濃度が急激に減衰し、１時間後には約１６０ｐｐｍ、３時間後には約３０ｐｐｍになり、ほとんどアンモニア臭がない状態になったのに対して、くぬぎの炭（竹炭）では、１時間後には約９６０（１４００）ｐｐｍ、３時間後には約６６０（１０１０）ｐｐｍであった。
このように、ヒノキの炭は、アンモニアガスに対して、くぬぎや竹の炭に比べて、短時間で脱臭することができ、優れた脱臭力を有していることが分かる。
【００３１】
図６（ａ）〜（ｃ）に、同一の窯で焼いたヒノキ、クヌギおよび竹の炭の電子顕微鏡による拡大断面写真を示した。
ヒノキの炭は、他の炭と異なり、均一なハニカム構造（多孔質）になっており、この均一な構造が他の炭に比べて著しく大きな表面積を有し、臭い成分のガスを急速に吸着することができ、このことが他の炭に比べてはるかに高い脱臭スピードを有している理由であると考えられている。
【００３２】
微粉状のヒノキの炭は、粒状のヒノキの炭と比べて脱臭能力が大きいが、湿度の影響を受けてすぐに塊になり、時間経過とともに急激に脱臭能力が低減し、持続しない。また、不織布製袋に炭を詰める作業で微粉末の炭を使用すると、静電気の影響を受けやすく取り扱いが難しくなる。
このような理由で、不織布製袋に詰める炭は粒状とするが、粒状の炭が大きすぎても炭と炭との間隙が広くなりすぎ脱臭性能が落ちるので、粒状の炭の長さは１ｍｍ〜１０ｍｍの範囲内が好ましい。ここで、粒状の炭の長さとは、粒状の炭の最も長い長さを指す。
粒状の炭は、窯で焼かれたヒノキの木材の炭を砕き、次いで篩い等で微粉末を除いて、粒状のものを選別することにより製造できる。
なお、粒状の炭を不織布製袋に入れる作業時に微粉末が発生することは避けられないが、不織布製袋内に微量の微粉末が混入しても、脱臭性能に大きな変化はない。
【００３３】
ヒノキの炭は、アンモニアガスのようなアルカリ性の臭いに対して、優れた脱臭能力を発揮することができるが、加齢臭や汗の臭いのような酸性の臭い（腐敗臭）に対しても優れた脱臭能力を発揮する。
ヒノキの炭の脱臭性能は、８００℃以上の高温で焼かれた炭では酸性の臭いの脱臭に有効であり、中温（最終炭化温度が５００℃〜８００℃）で焼かれた炭ではアルカリ性の臭い（腐敗臭）に有効である。
【００３４】
ヒノキの炭は、炭窯でヒノキを高温で焼いて炭化させるが、窯の中の材木の位置により炭化温度に差が出て、通常は中温で焼かれた炭と高温で焼かれた炭が混在し、アルカリ性の臭いにも酸性の臭いにも優れた脱臭力を発揮する。
また、高温で焼いて製造したヒノキの炭とヒノキを中温で焼いて製造した炭を混ぜることにより、酸性とアルカリ性の臭いに対する脱臭力のバランスを調整することも可能である。
【００３５】
脱臭フィルター（粒状の炭が入った不織布製袋）４の脱臭力は、空気清浄機の使用時間が長くなると劣化するが、籠状ケース５から取り出した脱臭フィルター４を粒状のヒノキの炭４１が入った不織布製袋４２ごと太陽に数時間かざしたり、振ったり風を当てたりすることで、脱臭力をより長く維持できる。
【００３６】
不織布製袋４２に封入された粒状のヒノキの炭４１の脱臭性能を最大限に活かすためには、脱臭フィルター４が納められた籠状ケース５と送風機６との間に２０ｍｍ乃至４０ｍｍの間隔を設けて空間（スペース）１０を形成するとともに、籠状ケース５の枠部材の内のりが囲む面積に対して脱臭フィルター（不織布製袋）４の外縁が囲う面積を小さめにして、不織布製袋４２を通過する空気の流れの他に、不織布製袋４２の外縁と籠状ケース５の枠部材の間を通過する空気の流れをつくることが望ましい。
【００３７】
こうすることで脱臭性能が上がる理由は定かではないが、不織布製袋４２の吹出側の面側に設けた間隔が形成する空間（スペース）１０に乱流が起こり、粒状のヒノキの炭に触れる空気が多くなると考えられる。
脱臭フィルター４が納められた籠状ケース５と送風機６との間の間隔は、狭すぎても効果がなく、長くすると空気清浄機の長さ（厚さ）がいたずらに大きくなるだけであり、２０乃至４０ｍｍ程度が望ましい。
また、脱臭フィルター４の不織布製袋４２の外縁が囲む面積は、籠状ケース５の枠部が囲む面積の８０〜９０％程度になるようにすることが望ましい。例えば、送風機のファンブレードの外径が１３５〜１８０ｍｍ、籠状ケース５の枠部材の内のり寸法が１８５ｍｍ×１８５ｍｍ程度である場合、不織布製袋の通風路に占める面積は、１７０ｍｍ×１７０ｍｍ程度の大きさにするとよい〔１７０ｍｍ×１７０ｍｍ）／（１８５ｍｍ×１８５ｍｍ）＝０．８４である〕。
【００３８】
本考案の空気清浄機の本体の具体的な寸法の一例を以下に示す。
・本体寸法：
２２０ｍｍ幅×２３０ｍｍ高さ×１４５ｍｍ厚
【００３９】
図７に示すように、空気清浄機１の本体２の吸込口の枠部の４隅に長さが短い脚１１を取り付けてもよい。脚１１は着脱可能もしくは折りたたみ可能なものとすることができる。
吸込口２１の枠部の４隅に脚を取り付けた空気清浄機１は、本体２の吸込口２１を下にして吹出口２２を上に向けて床に配置したときに、脚１１が床と本体２の吸込口２１との間に２〜３ｃｍ程度の間隔を保持するようにできるから、集塵フィルター３を床に向けて置くことができ、送風方向を変えることができる。こうすることで、テーブルやベッドの下に配置して使用することができる。
【００４０】
空気清浄機１を持ち運びに便利なように、本体２の側面には回動可能な把手（とって）を取り付けてもよい。
図８に脚１１を取り付けた空気清浄機１の本体２に把手１２を取り付けた実施形態の一例を示した。この図に示す実施形態では、本体２の対向する２つの側面（天井面や底面ではない面）に孔を穿ち、把手１２の端部に取り付けた軸部材をこの孔に挿入するなどして、把手１２が本体２の天井面の上を横断するように取り付け、回動可能にしている。
把手１２は、図８に示した実施形態のものよりも小さくして、例えば、本体２の天井面に把手の両端を固定して取り付けてもよい。
【００４１】
把手１２を取り付けた空気清浄機１は、把手１２を介して吊り下げフックなどにより脚１１を部屋の壁面に向けて該壁に吊り下げると、壁面と空気清浄機１の集塵フィルター３との間に間隙ができるから、部屋の壁面に吊り下げた状態で、空気清浄機１を使用することができる。
【００４２】
本考案の空気清浄機は、集塵フィルターおよび脱臭フィルターや籠状ケースの構造が複雑でないから、製造コストを抑えることができる。また、粒状のヒノキの炭は軽く、そのの脱臭性能も高いから、脱臭フルターも比較的薄く軽量にすることができ、空気清浄機をコンパクトにかつ軽量にできるとともに、送風機のファンの送風量も、小さくでき騒音を抑えることができ、長時間使用に好適である。
さらに集塵フィルターや脱臭フィルターの交換も容易に行えるので、空気清浄機の管理も容易である。
【符号の説明】
【００４３】
１  ：空気清浄機
２  ：本体
２１：本体の吸込口
２２：本体の吹出口
２３：突起
２４：突起
２５：突起
２６：蓋
３：集塵フィルター
３１：不織布
３２：支持枠
３２１：枠部材
３２２：桟（さん）部材
３３：押さえ枠
４：脱臭フィルター
４１：ヒノキの粒状の炭
４２：不織布製袋
５：籠状ケース
５１：ケース部材
５２：ケース部材
６：送風機
７：取付け枠
８：パネル
９：操作部
１０：空間（スペース）
１１：脚
１２：把手
【図１】
0003226219.tif 000003
【図２】
0003226219.tif 000004
【図３】
0003226219.tif 000005
【図４】
0003226219.tif 000006
【図５】
0003226219.tif 000007
【図６】
0003226219.tif 000008
【図７】
0003226219.tif 000009
【図８】
0003226219.tif 000010